(57)【要約】【課題】  簡素な構造を有し、なおかつ簡単な操作によってカプセル内視鏡を回収できるカプセル回収用具を提供する。【解決手段】  平面状のカプセル回収用具１０を、折り目に沿って折り畳み、洋式便器４０に設置する。このときカプセル回収用具１０は、折り畳む工程によって形成された凹部１６が洋式便器４０の窪み４０Ｕの上部に嵌り、一対の翼部１８が、洋式便器４０の便座４２と縁部とによって挟まれるように、固定される。この状態で、被験者から排出された排泄物等は貫通孔２０から除去され、カプセル内視鏡１２は、凹部１６において係止、回収される。【選択図】        図７
2007082913.tif 000002
【特許請求の範囲】
【請求項１】
体内から排出されたカプセル内視鏡を排泄物から分離して回収する、平面シート状のカプセル回収用具であって、
折り目と、前記排泄物を通過させるための貫通孔とが設けられており、前記折り目に沿って折り畳むことにより、前記貫通孔を含む凹部と、前記カプセル回収用具を便器に載置するための翼部とが形成されることを特徴とするカプセル回収用具。
【請求項２】
前記凹部が中心部に形成され、前記翼部が、前記凹部の両側に一対形成されることを特徴とする請求項１に記載のカプセル回収用具。
【請求項３】
前記カプセル回収用具が、矩形状であることを特徴とする請求項１に記載のカプセル回収用具。
【請求項４】
前記凹部が、前記カプセル回収用具の輪郭の短辺に平行な方向に沿って延びるように形成されることを特徴とする請求項３に記載のカプセル回収用具。
【請求項５】
前記凹部が、前記カプセル回収用具の中心を通る第１の直線に沿って延びるように形成されることを特徴とする請求項４に記載のカプセル回収用具。
【請求項６】
前記第１の直線が、前記凹部の底を通ることを特徴とする請求項５に記載のカプセル回収用具。
【請求項７】
前記凹部と前記翼部との接線が、前記輪郭の短辺に平行な直線によって形成されることを特徴とする請求項４に記載のカプセル回収用具。
【請求項８】
前記折り目が、前記カプセル回収用具の中心部を通り、前記カプセル回収用具の輪郭の短辺に平行な第１の直線と、前記第１の直線上の第１の中間点から、前記輪郭の第１の長辺に沿った領域である第１の周辺部に向かって延びる直線である、第２の直線と、前記第１の直線と前記第２の直線との間に位置する第３の直線と、前記第２の直線を挟んで前記第３の直線と反対側に位置する第４の直線と、前記第１の中間点から、前記第１の周辺部に隣接し、前記第１の長辺に沿った領域である第２の周辺部に向かって延びる直線であり、前記第１の直線を中心として、前記第２の直線、前記第３の直線、および前記第４の直線とそれぞれ線対称の位置にある第５の直線、第６の直線、および第７の直線を含み、
前記第１の直線および前記第２の直線にて山折りし、前記第３の直線にて谷折りし、前記第４の直線および前記第５の直線にて山折りし、前記第６の直線にて谷折りし、前記第７の直線にて山折りすることにより、
前記第４の直線および前記第７の直線を輪郭とした前記凹部の第１の側面が形成されることを特徴とする請求項３に記載のカプセル回収用具。
【請求項９】
前記第２の直線と前記第３の直線とがなす角度と、前記第２の直線と前記第４の直線とがなす角度とが等しくなるように前記折り目が形成されており、前記第３の直線と前記第４の直線とが重なるように折り畳まれることを特徴とする請求項８に記載のカプセル回収用具。
【請求項１０】
前記折り目が、前記中心部を通り、前記輪郭の長辺に平行な直線を中心として、前記第２の直線、前記第３の直線、前記第４の直線、前記第５の直線、前記第６の直線、および前記第７の直線とそれぞれ線対称の位置にある第８の直線、第９の直線、第１０の直線、第１１の直線、第１２の直線、および第１３の直線をさらに含み、
前記第２の直線、前記第３の直線、前記第４の直線、前記第５の直線、前記第６の直線、および前記第７の直線と同様に、前記第８の直線、前記第９の直線、前記第１０の直線、前記第１１の直線、前記第１２の直線、および前記第１３の直線にて折り畳むことにより、
前記第１の側面に対向した前記凹部の第２の側面がさらに形成されることを特徴とする請求項８に記載のカプセル回収用具。
【請求項１１】
前記第５の直線と前記第６の直線とがなす角度と、前記第５の直線と前記第７の直線とがなす角度とが等しくなるように前記折り目が形成されており、前記第６の直線と前記第７の直線とが重なるように折り畳まれることを特徴とする請求項１０に記載のカプセル回収用具。
【請求項１２】
前記凹部がＶ字型の断面形状を有し、前記第１の直線が、前記凹部の底を通って前記第１の側面と前記第２の側面とを結ぶことを特徴とする請求項１０に記載のカプセル回収用具。
【請求項１３】
前記折り目が、前記輪郭の短辺に平行な直線であって、前記第３の直線と前記第９の直線とに接する第１４の直線と、前記第６の直線と前記第１２の直線とに接する第１５の直線とをさらに含み、
前記第１４の直線と前記第１５の直線とをそれぞれ谷折りすることにより、
前記第１の側面と前記第２の側面との間にある側面であって、前記第１の直線と前記第３の直線の一部と前記第９の直線の一部と前記第１４の直線とを輪郭とした前記凹部の第３の側面と、前記第１の直線と前記第６の直線の一部と前記第１２の直線の一部と前記第１５の直線とを輪郭とした前記凹部の第４の側面とがさらに形成されることを特徴とする請求項１０に記載のカプセル回収用具。
【請求項１４】
前記カプセル回収用具の輪郭の第１の短辺を輪郭に含む第１の翼部と、前記カプセル回収用具の輪郭の第２の短辺を輪郭に含む第２の翼部とが形成されることを特徴とする請求項８に記載のカプセル回収用具。
【請求項１５】
前記貫通孔が、前記第１の直線に沿って形成されていることを特徴とする請求項８に記載のカプセル回収用具。
【請求項１６】
前記折り目の付近に、前記カプセル回収用具が前記折り目に沿って山折りされるか谷折りされるかを示す表示が形成されていることを特徴とする請求項１に記載のカプセル回収用具。
【請求項１７】
前記折り目に沿って切り込みが設けられていることを特徴とする請求項１に記載のカプセル回収用具。
【請求項１８】
前記貫通孔が、前記凹部の底に設けられることを特徴とする請求項１に記載のカプセル回収用具。
【請求項１９】
前記貫通孔としての網目を有する網状であることを特徴とする請求項１に記載のカプセル回収用具。
【請求項２０】
体内から排出されたカプセル内視鏡を排泄物から分離して回収する、平面シート状の部材を折り畳んで形成されたカプセル回収用具であって、
前記排泄物を通過させるための貫通孔を含む凹部と、前記カプセル回収用具を便器に載置するための翼部とが形成されていることを特徴とするカプセル回収用具。
【請求項２１】
体内から排出された異物を排泄物から分離して回収する、平面シート状の異物回収用具であって、
折り目と、前記排泄物を通過させるための貫通孔とが設けられており、前記折り目に沿って折り畳むことにより、前記貫通孔を含む凹部と、前記カプセル回収用具を便器に載置するための翼部とが形成されることを特徴とする異物回収用具。
【発明の詳細な説明】
【技術分野】
【０００１】
本発明は、カプセル回収用具に関し、特に、使用されたカプセル内視鏡を回収するカプセル回収用具に関する。
【背景技術】
【０００２】
最近では、体内を撮影するためのカプセル内視鏡を被験者が飲み込んで、このカプセル内視鏡から得られた画像データをコンピュータで処理することにより被験者の体内の画像を生成して、消化器の内部等を観察可能なカプセル型内視鏡装置が開発されている。
【０００３】
カプセル型内視鏡装置において、被験者の体内を撮影した後に体外に排出されたカプセル内視鏡は、排泄物から分離して回収される。このため、カプセル内視鏡を回収するための回収具等を含む回収装置が知られている（例えば特許文献１）。この特許文献１における回収装置には、排出されたカプセル内視鏡を係止させるための係止部材と、係止部材を便器の所定の位置に設置するための部材と、カプセル内視鏡を係止部材から取り出して回収する回収具等が含まれている。
【特許文献１】特開２００４−２６７３５０号公報（段落［００４４］〜［００５７］、図５〜９等参照）
【発明の開示】
【発明が解決しようとする課題】
【０００４】
係止部材を所定の位置に設置するための部材を設ける場合、カプセル内視鏡の回収装置は、部品点数が多く比較的大掛かりなものとなって、携帯が不便になる。また、この場合、カプセル内視鏡の回収時において係止部材の位置を調整する操作が必要である。
【０００５】
本発明は、簡素な構造を有し、なおかつ簡単な操作によってカプセル内視鏡を回収できるカプセル回収用具を提供することを目的とする。
【課題を解決するための手段】
【０００６】
本発明の第１のカプセル回収用具は、体内から排出されたカプセル内視鏡を排泄物から分離して回収する、平面シート状のカプセル回収用具であって、折り目と、排泄物を通過させるための貫通孔とが設けられており、折り目に沿って折り畳むことにより、貫通孔を含む凹部と、カプセル回収用具を便器に載置するための翼部とが形成されることを特徴とする。そして凹部は、カプセル回収用具の中心部に形成され、翼部が、凹部の両側に一対形成されることが好ましい。
【０００７】
第１のカプセル回収用具は、矩形状であることが好ましい。そして凹部は、カプセル回収用具の輪郭の短辺に平行な方向に沿って延びるように形成されることがより好ましい。また、凹部は、カプセル回収用具の中心を通る第１の直線に沿って延びるように形成されることが望ましく、第１の直線は、凹部の底を通ることがより望ましい。
【０００８】
第１のカプセル回収用具においては、凹部と翼部との接線が、輪郭の短辺に平行な直線によって形成されることが好ましい。
【０００９】
折り目は、例えば、カプセル回収用具の中心部を通り、カプセル回収用具の輪郭の短辺に平行な第１の直線と、第１の直線上の第１の中間点から、カプセル回収用具の輪郭の第１の長辺に沿った領域である第１の周辺部に向かって延びる直線である、第２の直線と、第１の直線と第２の直線との間に位置する第３の直線と、第２の直線を挟んで第３の直線と反対側に位置する第４の直線と、第１の中間点から第１の周辺部に隣接する第２の周辺部に向かって延びる直線であり、第１の直線を中心として、第２の直線、第３の直線、および第４の直線とそれぞれ線対称の位置にある第５の直線、第６の直線、および第７の直線を含む。そしてこの場合、カプセル回収用具は、第１の直線および第２の直線にて山折りし、第３の直線にて谷折りし、第４の直線および第５の直線にて山折りし、第６の直線にて谷折りし、第７の直線にて山折りすることにより、第１の直線が底にあって、第４の直線および第７の直線を輪郭とした凹部の第１の側面が形成されることが好ましい。
【００１０】
第２の直線と第３の直線とがなす角度と、第２の直線と第４の直線とがなす角度とが等しくなるように折り目が形成されており、カプセル回収用具は、第３の直線と第４の直線とが重なるように折り畳まれることが好ましい。
【００１１】
折り目は、例えば、カプセル回収用具の中心部を通り、カプセル回収用具の輪郭の長辺に平行な直線を中心として、第２の直線、第３の直線、第４の直線、第５の直線、第６の直線、および第７の直線とそれぞれ線対称の位置にある第８の直線、第９の直線、第１０の直線、第１１の直線、第１２の直線、および第１３の直線をさらに含む。そしてこの場合、第２の直線、第３の直線、第４の直線、第５の直線、第６の直線、および第７の直線と同様に、第８の直線、第９の直線、第１０の直線、第１１の直線、第１２の直線、および第１３の直線にて折り畳むことにより、第１の側面に対向した凹部の第２の側面がさらに形成されることが好ましい。
【００１２】
第５の直線と第６の直線とがなす角度と、第５の直線と第７の直線とがなす角度とが等しくなるように折り目が形成されており、カプセル回収用具は、第６の直線と第７の直線とが重なるように折り畳まれることが好ましい。また例えば、凹部は、Ｖ字型の断面形状を有し、第１の直線が凹部の底を通って、第１の側面と第２の側面とを結ぶことが好ましい。
【００１３】
折り目は、例えば、カプセル回収用具の輪郭の短辺に平行な直線であって、第３の直線と第９の直線とに接する第１４の直線と、第６の直線と第１２の直線とに接する第１５の直線とをさらに含む。そしてこの場合、第１４の直線と第１５の直線とをそれぞれ谷折りすることにより、第１の側面と第２の側面との間にある側面であって、第１の直線と第３の直線の一部と第９の直線の一部と第１４の直線とを輪郭とした凹部の第３の側面と、第１の直線と第６の直線の一部と第１２の直線の一部と第１５の直線とを輪郭とした凹部の第４の側面とがさらに形成されることが望ましい。
【００１４】
カプセル回収用具の輪郭の第１の短辺を輪郭に含む第１の翼部と、カプセル回収用具の輪郭の第２の短辺を輪郭に含む第２の翼部とが形成されることが好ましい。
【００１５】
貫通孔は、第１の直線に沿って形成されていることが望ましい。また、折り目の付近には、カプセル回収用具が折り目に沿って山折りされるか谷折りされるかを示す表示が形成されていることが好ましい。
【００１６】
カプセル回収用具には、折り目に沿って切り込みが設けられていることが望ましい。また、貫通孔は、凹部の底に設けられることが好ましい。カプセル回収用具は、例えば、貫通孔としての網目を有する網状である。
【００１７】
本発明の第２のカプセル回収用具は、体内から排出されたカプセル内視鏡を排泄物から分離して回収する、平面シート状の部材を折り畳んで形成されたカプセル回収用具であって、排泄物を通過させるための貫通孔を含む凹部と、カプセル回収用具を便器に載置するための翼部とが形成されていることを特徴とする。
【００１８】
本発明の異物回収用具は、体内から排出された異物を排泄物から分離して回収する、平面シート状の異物回収用具であって、折り目と、排泄物を通過させるための貫通孔とが設けられており、折り目に沿って折り畳むことにより、貫通孔を含む凹部と、カプセル回収用具を便器に載置するための翼部とが形成されることを特徴とする。
【発明の効果】
【００１９】
本発明によれば、簡素な構造を有し、なおかつ簡単な操作によってカプセル内視鏡を回収できるカプセル回収用具を実現できる。
【発明を実施するための最良の形態】
【００２０】
以下、本発明の実施形態を、図面を参照して説明する。図１は、第１の実施形態における、平面状のカプセル回収用具を示す図である。図２は、本実施形態における、折り畳まれた状態のカプセル回収用具を示す平面図である。図３は、本実施形態における、折り畳まれた状態のカプセル回収用具を示す正面図である。図４は、本実施形態における、折り畳まれた状態のカプセル回収用具を示す側面図であり、図５は、折り畳まれた状態のカプセル回収用具を示す底面図である。
【００２１】
カプセル回収用具１０は、体内から排出されたカプセル内視鏡（図示せず）を回収するために使用される。カプセル回収用具１０は、未使用時においては、図１に示すように平面シート状である。そして、カプセル回収用具１０には複数の折り目が設けられており、カプセル回収用具１０は、全ての折り目に沿って折り畳められ（図２〜５参照）、使用される。
【００２２】
このように、折り畳められた状態（以下、使用状態という）においては、カプセル回収用具１０の中心付近に凹部１６が形成され、凹部１６の底には、複数の貫通孔２０が設けられている。このため、排泄物とともに排出されたカプセル内視鏡は、凹部１６の底にて捕捉され、貫通孔２０によって係止される一方、排泄物は貫通孔２０を通過して便器に流れる。このように、カプセル回収用具１０により、カプセル内視鏡を排泄物から分離して回収することができる。
【００２３】
また、使用状態のカプセル回収用具１０においては、凹部１６の周囲に、互いに対向しつつ凹部１６の縁１６Ｌから延びる一対の翼状の部材である翼部１８が形成されている。そしてカプセル回収用具１０は、後述するように、翼部１８を用いて便器の所定の位置に容易に載置できる。
【００２４】
なお、カプセル回収用具１０は、一度折り畳められると使用状態の形状が保持されるとともに、使用される便器の形状等に応じて適度に変形可能であるように、適当な厚さと硬さを有する紙シートである。
【００２５】
また、カプセル回収用具１０の折り目は、図１において、カプセル回収用具１０の輪郭を示す実線と、中心付近に設けられた、複数の貫通孔２０を示す曲線とを除いた実線で示されている。そして、図２〜５においては、使用状態におけるカプセル回収用具の形状を説明する便宜上、同一平面上にある折り目は破線で示されている。例えば、図５において、一対の翼部１８において折り目が表面上にあるものの、翼部１８は、いずれも、凹部１６の縁１６Ｌを一つの辺とした平面形状（台形）を有する。
【００２６】
図６は、カプセル内視鏡が排出される洋式便器に設置された状態のカプセル回収用具１０を示す平面図であり、図７は、洋式便器に設置され、カプセル内視鏡を回収した状態のカプセル回収用具１０を示す斜視図である。図８は、和式便器に設置された状態のカプセル回収用具１０を示す平面図であり、図９は、和式便器に設置され、カプセル内視鏡を回収した状態のカプセル回収用具１０を示す斜視図である。
【００２７】
使用状態のカプセル回収用具１０は、被験者から排出されるカプセル内視鏡１２を受け止められるように、例えば洋式便器４０（排出容器）に設置される。ここで、カプセル回収用具１０は、凹部１６が洋式便器４０の窪み４０Ｕの上部に嵌り、一対の翼部１８が洋式便器４０の便座４２と縁部４４とによって挟まれて、所定の位置に固定されるように、通常の洋式便器４０の形状、大きさを考慮して設計されている。このため、使用状態のカプセル回収用具１０の設置位置を調整するための煩雑な操作は不要であり、使用に適した位置に固定することは容易である。
【００２８】
なおカプセル回収用具１０は、水によって変形、破損等のないように、適度な耐水性を有する。
【００２９】
また、和式便器５０（排出容器）においても、カプセル回収用具１０は使用可能である（図８、図９参照）。すなわちカプセル回収用具１０は、使用状態において、凹部１６が和式便器５０の窪み５０Ｕに嵌り、翼部１８が縁部５４の上部に載置されるように設計されている。そして一対の翼部１８は、被験者によって踏まれることにより、所定の位置に固定される。
【００３０】
カプセル回収用具１０の大きさ、形状等は、使用される便器の種類等に応じて調整可能であるが、通常の洋式便器４０および和式便器５０での使用に適するように、カプセル回収用具１０は、例えば、折り畳まれる前の平面状態においてＢ３サイズの大きさ、すなわち５１５（ｍｍ）の辺と３６４（ｍｍ）の辺とから成る矩形状の紙シートである。カプセル回収用具１０の厚さは、例えば、日本国内で一般に使用されているコピー用紙の厚さと同じ６４ｇ／ｍ2相当であり、別言すると、一般的なコピー用紙と同等の紙が利用可能である。もちろん、より強度を確保したい場合においては、さらに厚い紙シートを利用できる。 
【００３１】
図１０は、カプセル回収用具１０に設けられた折り目を詳細に示す図である。図１１は、使用されたカプセル回収用具１０を折り畳む工程を示す図である。
【００３２】
図１０においては、山折りされるべき折り目は実線で、谷折りされるべき折り目は破線で示されている。また、各折り目は、平面状のカプセル回収用具１０の表面および裏面のいずれにも示されている。そしてカプセル回収用具１０は、以下のように折り畳められ、使用状態に移行する。すなわちまず、矩形状であるカプセル回収用具１０の輪郭の第１および第２短辺１０Ｓ１、１０Ｓ２に平行であって、中心点１０Ｃを通る直線である第１の折り目Ｌ１（第１の直線）に沿って、山折りされる。
【００３３】
そして、第１の折り目Ｌ１上の第１中間点Ｐ１（第１の中間点）から、カプセル回収用具１０の輪郭の第１長辺１０Ｌ１に沿った領域であって図１０の右上側に位置する第１周辺部Ｏ１（第１の周辺部）付近に向かって延びる直線である、第２の折り目Ｌ２（第２の直線）に沿って山折され、第１の折り目Ｌ１と第２の折り目Ｌ２との間に位置する第３の折り目Ｌ３（第３の直線）に沿って谷折され、さらに、第２の折り目Ｌ２を挟んで第３の折り目Ｌ３と反対側に位置する第４の折り目Ｌ４（第４の直線）に沿って山折りされる。
【００３４】
引き続き、第１中間点Ｐ１から、第１周辺部Ｏ１と同じく第１長辺１０Ｌ１に沿った領域であって、第１の折り目Ｌ１を挟んで第１周辺部Ｏ１に隣接する第２周辺部Ｏ２（第２の周辺部）に向かって延びる直線であり、第１の折り目Ｌ１を中心として、第２の折り目Ｌ２、第３の折り目Ｌ３、および第４の折り目Ｌ４とそれぞれ線対称の位置にある第５の折り目Ｌ５（第５の直線）、第６の折り目Ｌ６（第６の直線）および第７の折り目Ｌ７（第７の直線）に沿って、以下のようにカプセル回収用具１０は折り畳まれる。
【００３５】
すなわち、カプセル回収用具１０は、第５の折り目Ｌ５に沿って山折りされ、第６の折り目Ｌ６に沿って谷折りされ、さらに第７の折り目Ｌ７に沿って山折りされる。この状態において、第４の折り目Ｌ４および第７の折り目Ｌ７によって囲まれた、斜線で示す第１領域Ｓ１によって、凹部１６の第１の側面が形成される。
【００３６】
さらに、カプセル回収用具１０には、中心点１０Ｃを通り、第１の折り目Ｌ１に垂直、すなわち第１および第２長辺１０Ｌ１、１０Ｌ２に平行な直線であるＬ１’（直線Ｌ１’は折り目ではない）を中心として、第２〜第７の折り目Ｌ２〜Ｌ７とそれぞれ線対称の位置にある、第８〜第１３の折り目Ｌ８〜Ｌ１３（第８〜第１３の直線）が設けられている。
【００３７】
ここで、第８〜第１０の折り目Ｌ８〜Ｌ１０は、第１の折り目Ｌ１上の第２中間点Ｐ２（第２の中間点）から、第１周辺部Ｏ１の下側に位置する第３周辺部Ｏ３付近に向かって延び、第１１〜第１３の折り目Ｌ１１〜Ｌ１３は、第２中間点Ｐ２から、第２周辺部Ｏ２の下側に位置する第４周辺部Ｏ４付近に向かって延びている。
【００３８】
そして、第８〜第１３の折り目Ｌ８〜Ｌ１３に沿って、それぞれ対応する第２〜第７の折り目Ｌ２〜Ｌ７と同様に折り畳むことにより、第１の側面に対向する凹部１６の第２の側面が形成される。この第２の側面は、第１０の折り目Ｌ１０と第１３の折り目Ｌ１３によって囲まれた、斜線で示す第２領域Ｓ２によって形成される。
【００３９】
なお、第２の折り目Ｌ２と第３の折り目Ｌ３とがなす角度αと、第２の折り目Ｌ２と第４の折り目Ｌ４とがなす角度βとは等しい。このため、カプセル回収用具１０は、第３の折り目Ｌ３と第４の折り目Ｌ４とが重なるように折り畳まれ、第３および第４の折り目Ｌ３、Ｌ４が、凹部１６における第１の側面の輪郭の一辺を形成する。
【００４０】
このことは、第５〜第７の折り目Ｌ５〜Ｌ７についても同様であり、互いに重なる第６および第７の折り目Ｌ６、Ｌ７が、第１の側面における輪郭の他方の辺を形成する。また、第８〜第１０の折り目Ｌ８〜Ｌ１０、第１１〜第１３の折り目Ｌ１１〜Ｌ１３についても同様であり、互いに重なる第９および第１０の折り目Ｌ９、Ｌ１０と、第１２および第１３の折り目Ｌ１２、Ｌ１３とが、第２の側面の輪郭となる辺をそれぞれ形成する。
【００４１】
カプセル回収用具１０には、さらに、第１の折り目Ｌ１に平行な直線であって、第３の折り目Ｌ３と第９の折り目Ｌ９とに接する第１４の折り目Ｌ１４（第１４の直線）と、第６の折り目Ｌ６と第１２の折り目Ｌ１２とに接する第１５の折り目Ｌ１５（第１５の直線）が設けられている。
【００４２】
そして、凹部１６の第１および第２の側面を形成した後に、第１４の折り目Ｌ１４と第１５の折り目Ｌ１５とに沿ってカプセル回収用具１０を谷折りすることにより、凹部１６の第１の側面と第２の側面との間にある側面であって、第１の折り目Ｌ１、第３の折り目Ｌ３、第９の折り目Ｌ９、および第１４の折り目Ｌ１４によって囲まれた第３の側面と、第１の折り目Ｌ１、第６の折り目Ｌ６、第１２の折り目Ｌ１２、および第１５の折り目Ｌ１５によって囲まれた第４の側面とが形成される。
【００４３】
第１４および第１５の折り目Ｌ１４、Ｌ１５に沿ってカプセル回収用具１０を折り畳むことにより、第３および第４の側面と同時に、第３の折り目Ｌ３の一部、第９の折り目Ｌ９の一部、第１４の折り目Ｌ１４および第１短辺１０Ｓ１を輪郭とした斜線で示す第３領域Ｓ３と、第６の折り目Ｌ６の一部、第１２の折り目Ｌ１２の一部、第１５の折り目Ｌ１５および第２短辺１０Ｓ２を輪郭とした斜線で示す第４領域Ｓ４とによって、一対の翼部１８が形成される。そして、第１４および第１５の折り目Ｌ１４、Ｌ１５は、凹部１６と翼部１８との接線、すなわち、使用状態における凹部１６の縁１６Ｌを形成する。
【００４４】
なお、第２の折り目Ｌ２と第３の折り目Ｌ３の間には第１６の折り目Ｌ１６、第３の折り目Ｌ３と第４の折り目Ｌ４との間には第１７の折り目Ｌ１７が設けられている。そして、第１６および第１７の折り目Ｌ１６、Ｌ１７は、第１４の折り目Ｌ１４に沿ってカプセル回収用具１０が谷折りされるときに第１４の折り目Ｌ１４に重なる位置にあるため、第１４の折り目Ｌ１４に沿った谷折りと同時に、カプセル回収用具１０は、第１６および第１７の折り目Ｌ１６、Ｌ１７に沿って折り畳まれる。このことは、第２〜第４周辺部Ｏ２〜Ｏ４の付近に設けられたに第１８〜第２３の折り目Ｌ１８〜Ｌ２３についても同様である。
【００４５】
ここで、第１の側面と第３の側面との間には、第３および第４の折り目Ｌ３、Ｌ４によって囲まれ、第２の折り目Ｌ２によって折り畳まれた領域（図１０における第１領域Ｓ１と第３の折り目Ｌ３との間の領域に相当）が設けられており、さらにこの領域は、第１６および第１７の折り目Ｌ１６、Ｌ１７に沿って、第３の側面および翼部と一体的に折り畳まれている。そしてこのことは、第１の側面と第４の側面との間、第２の側面と第３の側面との間、および第２の側面と第４の側面との間についても同様である。このように、凹部１６の周辺部が強固に保持されているため、凹部１６の形状は維持され易く、外力によっても容易に変形しない。
【００４６】
以上のように、平面状のカプセル回収用具１０を折り畳むことにより、第１の折り目Ｌ１の一部であって第１中間点Ｐ１と第２中間点Ｐ２とを結ぶ線分が底を通り、第１〜第４の側面を有する、断面形状がＶ字型の凹部１６と、凹部１６の周囲にある一対の翼部１８とが形成される。すなわち凹部１６は、平面状のカプセル回収用具１０の第１、第２短辺１０Ｓ１、１０Ｓ２および第１の折り目Ｌ１に沿って、第１の側面と第２の側面とを結んで延びるように、形成される。そして複数の貫通孔２０は、予め第１の折り目Ｌ１に沿って、第１の折り目Ｌ１の両側に接する千鳥状に形成されているため、使用状態における凹部１６の底に位置する。
【００４７】
なお、カプセル回収用具１０においては、第１〜第２３の全ての折り目Ｌ１〜Ｌ２３の付近に、それぞれの折り目に沿ってカプセル回収用具１０が山折りされべきであるか谷折りされるべきであるかを示す表示（図示せず）が形成されている。さらに、折り畳み工程を容易にすべく、第１〜第２３の全ての折り目Ｌ１〜Ｌ２３に沿って切り込みが設けられている。切り込みは、カプセル回収用具１０が山折りされるか谷折りされるかに応じて、カプセル回収用具１０の表面側、あるいは裏面側のいずれかであって、折り畳み時に内側となる側にのみ設けられている。以上のことから、被験者は、折り畳み方向を誤ることなく、カプセル回収用具１０を正確にかつ容易に使用できる。
【００４８】
カプセル内視鏡１２を回収すると、カプセル回収用具１０は、使用状態からさらに折り畳まれる（図１１参照）。すなわち、カプセル回収用具１０は、凹部１６を閉じて一対の翼部１８が互いに接するように、矢印Ａおよび矢印Ｂの示すように折り畳まれる。そしてさらに、ほぼ台形状となったカプセル回収用具１０を、例えば破線にて示すように、両端側を折り返すように折った後に、さらに折り畳んで小型化する。
【００４９】
カプセル回収用具１０は、折り目が設けられていない箇所で折り畳むことが可能であるように適度な硬さを有するため、このように、携帯に適したサイズまで縮小化できる。また、凹部１６は、排泄物を除くために使用される水等によって濡れていることが多いものの、このように、凹部１６を内側にして折り畳むことにより、カプセル回収用具１０の使用後の処理は容易である。
【００５０】
なおここでは、カプセル回収用具１０は、カプセル内視鏡１２を係止させた状態のまま折り畳まれているが、例えばピンセット等を用いてカプセル内視鏡１２を取り出した後に折り畳んでも良い。
【００５１】
以上のように本実施形態によれば、カプセル回収用具１０は、使用前において単一の平面状の部材であって、簡素な構造を有する。さらに、カプセル回収用具１０は、折り畳みと、便器の所定の位置に設置するための簡単な操作のみによって、カプセル内視鏡１２を確実に回収できる。
【００５２】
図１２は、第２の実施形態における、平面状のカプセル回収用具１０を示す図である。図１３は、本実施形態における、折り畳まれた状態のカプセル回収用具１０を示す斜視図である。図１４は、折り畳まれた状態で粘着シートを用いるカプセル回収用具１０を示す斜視図であり、図１５は、使用後に便器から取外すカプセル回収用具１０を示す斜視図である。
【００５３】
本実施形態は、使用状態において翼部１８となる第３および第４領域Ｓ３、Ｓ４において、カプセル回収用具１０を便器の所望の位置に固定するための粘着シート２６（固定部材）が設けられている点が、第１の実施形態と異なる。第１の実施形態においては、一対の翼部１８を洋式便器４０の便座４２と縁部４４との間に挟んだり、被験者の足で踏むことにより、所定の位置に固定可能であるが、本実施形態においては、便器への固定をより確実に行う。
【００５４】
粘着シート２６は、適度な粘着性を有する樹脂で形成されており、第３および第４領域Ｓ３、Ｓ４のそれぞれにおいて設けられている。この粘着シート２６は、第３および第４領域Ｓ３、Ｓ４の中心付近にて、平面状態のカプセル回収用具１０の長辺方向に延びるように、配置されている。このため、被験者等が使用する便器の形状、大きさ等に関わらず、粘着シート２６の少なくとも一部の領域を活用することができ、カプセル回収用具１０を所望の位置に容易に固定できる。
【００５５】
粘着シート２６は、第３および第４領域Ｓ３、Ｓ４の下側の表面に設けられており、使用状態のカプセル回収用具１０を斜め上方から見た図１３においては、翼部１８の下側に位置する。そして粘着シート２６の表面には、容易に剥がすことが可能であって、粘着シート２６を保護する保護シート２８が設けられており、保護シート２８が矢印Ｃの示すように剥がされると、粘着シート２６は使用可能となる（図１４参照）。そして、剥き出しになった粘着シート２６を便器に当接させるように、カプセル回収用具１０は、便器の所望の位置に、例えば、洋式便器４０の縁部４４上に固定される（図６〜９、および図１５参照）。
【００５６】
カプセル内視鏡１２が貫通孔２０によって係止されると、カプセル回収用具１０は、矢印Ｄの示すように、洋式便器４０の縁部４４から取外される（図１５参照）。このとき、粘着シート２６は、翼部１８から外れて洋式便器４０の縁部４４に残るものの、その粘着性が適度なものであるため、被験者によって縁部４４の表面から容易に剥離され、廃棄される。
【００５７】
以上のように本実施形態によれば、簡単な操作によって、カプセル回収用具１０を所望の位置に、より強固に取付けることができ、なおかつ使用後においては、カプセル回収用具１０を容易に回収することができる。
【００５８】
図１６は、第３の実施形態における、カプセル内視鏡１２とカプセル回収用具１０の凹部１６の網目とを拡大して示す図である。
【００５９】
本実施形態のカプセル回収用具１０は、プラスチックにより形成された矩形状の網であり、その網目が多数の正六角形から成る亀甲状である点が、これまでの実施形態と異なる。そして、正六角形の網目の対角線の長さＥは、カプセル内視鏡１２の直径Ｆよりも短い。このため、本実施形態においては、網状のカプセル回収用具１０に設けられた多数の網目が、先述の実施形態における貫通孔２０として機能する。
【００６０】
そして、凹部１６は全域に渡って網状であることから、カプセル内視鏡１２と排泄物とが凹部１６において捕獲されたときに、排泄物のみを迅速に除去し、カプセル内視鏡１２を凹部１６に係止させることができる。なお、製造工程の簡素化のため、カプセル回収用具１０は、凹部１６のみならず全体に渡って一律に網目が施されているが、使用状態において、少なくとも凹部１６を形成する領域、あるいは凹部１６の底に近い領域についてのみ、網状であっても良い。
【００６１】
以上のように本実施形態によれば、特定の貫通孔２０のみによらず、凹部１６の全域に渡って排泄物等を除去できることから、カプセル内視鏡１２を速やかに排泄物等から分離、回収できる。
【００６２】
カプセル回収用具１０等の形状や材質は、いずれの実施形態にも限定されない。例えば、網状であって、なおかつ折り畳むための折り目を形成できる限り、第３の実施形態におけるカプセル回収用具１０は、紙製であっても良い。また、例えば粘着シート２８を網状のカプセル回収用具１０に設けるなど、各実施形態を組合せても良い。
【００６３】
また、カプセル回収用具１０は、体内から排出されたカプセル内視鏡１２以外の異物を排泄物から分離して回収するために、異物回収用具として使用されても良い。そしてこの場合、回収する異物の大きさに応じて、貫通孔２０の大きさ、形状等が調整される。また、被験者が速やかに使用できるように、カプセル回収用具１０は、予め製造時に折り畳められていても良い。
【００６４】
カプセル回収用具１０の折り目Ｌ１〜Ｌ２３には、切り込みの代わりにミシン目が設けられていても良い。
【図面の簡単な説明】
【００６５】
【図１】第１の実施形態における、平面状のカプセル回収用具を示す図である。
【図２】第１の実施形態における、折り畳まれた状態のカプセル回収用具を示す平面図である。
【図３】第１の実施形態における、折り畳まれた状態のカプセル回収用具を示す正面図である。
【図４】第１の実施形態における、折り畳まれた状態のカプセル回収用具を示す側面図である。
【図５】第１の実施形態における、折り畳まれた状態のカプセル回収用具を示す底面図である。
【図６】カプセル内視鏡が排出される洋式便器に設置された状態のカプセル回収用具を示す平面図である。
【図７】洋式便器に設置され、カプセル内視鏡を回収した状態のカプセル回収用具を示す斜視図である。
【図８】カプセル内視鏡が排出される和式便器に設置された状態のカプセル回収用具を示す平面図である。
【図９】和式便器に設置され、カプセル内視鏡を回収した状態のカプセル回収用具を示す斜視図である。
【図１０】カプセル回収用具に設けられた折り目を詳細に示す図である。
【図１１】使用されたカプセル回収用具を折り畳む工程を示す図である。
【図１２】第２の実施形態における、平面状のカプセル回収用具を示す図である。
【図１３】第２の実施形態における、折り畳まれた状態のカプセル回収用具を示す斜視図である。
【図１４】第２の実施形態における、折り畳まれた状態で粘着シートを用いるカプセル回収用具を示す斜視図である。
【図１５】第２の実施形態における、使用後に便器から取外すカプセル回収用具を示す斜視図である。
【図１６】第３の実施形態における、カプセル内視鏡とカプセル回収用具の凹部の網目とを拡大して示す図である。
【符号の説明】
【００６６】
１０  カプセル回収用具（異物回収用具）
１２  カプセル内視鏡（異物）
１６  凹部
１８  翼部
２０  貫通孔
２６  粘着シート（固定部材）
４０  洋式便器（排出容器）
５０  和式便器（排出容器）
Ｌ１〜Ｌ１５    第１〜第１５の折り目（第１〜第１５の直線）  
【図１】
2007082913.tif 000003
【図２】
2007082913.tif 000004
【図３】
2007082913.tif 000005
【図４】
2007082913.tif 000006
【図５】
2007082913.tif 000007
【図６】
2007082913.tif 000008
【図７】
2007082913.tif 000009
【図８】
2007082913.tif 000010
【図９】
2007082913.tif 000011
【図１０】
2007082913.tif 000012
【図１１】
2007082913.tif 000013
【図１２】
2007082913.tif 000014
【図１３】
2007082913.tif 000015
【図１４】
2007082913.tif 000016
【図１５】
2007082913.tif 000017
【図１６】
2007082913.tif 000018